(57)【要約】【課題】本発明は、新規な基本構成により画素の拡大虚像を確実に現出することができる装飾表示体を提供することを目的とする。【解決手段】本発明に係る装飾表示体１は、凸レンズ状の集光素１１１ａを各集光素１１１ａの並びに方向性を持たせて配列ピッチｐで２次元的に配列してなる集光素パターン１１１が表面に形成された第１の透明素材１１と、複数の画素１２１ａを各画素１２１ａの並びに集光素パターン１１１と同じ方向性を持たせて集光素１１１の配列ピッチｐと異なる配列ピッチｑで２次元的に配列してなる画像パターン１２１が表面に形成された第２の透明素材１２と、集光素パターン１１１と画像パターン１２１が所定距離ｄを隔てて対向する態様で、第１の透明素材１１と第２の透明素材１２を隙間ｒを空けて平行に支持する支持部１３とを備えている。【選択図】図２
2013244738.tif 000002
【特許請求の範囲】
【請求項１】
一方側の表面に、複数の凸レンズ状の集光素を各集光素の並びに方向性を持たせて所定の配列ピッチで２次元的に配列してなる集光素パターンが形成されたシート状または板状の第１の透明素材と、
一方側の表面に、着色された複数の画素を各画素の並びに前記集光素パターンと同じ方向性を持たせて前記各集光素の配列ピッチと異なる配列ピッチで２次元的に配列してなる画像パターンが形成されたシート状または板状の第２の透明素材と、
前記集光素パターンと前記画像パターンが所定距離を隔てて対向する態様で、前記第１の透明素材と前記第２の透明素材を互いに接触しないように隙間を空けて平行に支持する支持部材とを備えることを特徴とする装飾表示体。
【請求項２】
前記集光素パターンおよび／または画素パターンは、前記第１の透明素材と前記第２の透明素材が向かい合う側の表面に形成されている請求項１に記載の装飾表示体。
【請求項３】
前記第１の透明素材は、一方側の表面に、複数の凸レンズ状の集光素を各集光素の並びに方向性を持たせて所定の配列ピッチで２次元的に配列してなる集光素パターンが形成されたシート状の透明素材と、該シート状の透明素材が貼り付けられる板状の透明素材とからなるとともに、
前記第２の透明素材は、一方側の表面に、着色された複数の画素を各画素の並びに前記集光素パターンと同じ方向性を持たせて前記各集光素の配列ピッチと異なる配列ピッチで２次元的に配列してなる画像パターンが形成されたシート状の透明素材と、該シート状の透明素材が貼り付けられる板状の透明素材とからなる請求項１または請求項２に記載の装飾表示体。
【発明の詳細な説明】
【技術分野】
【０００１】
本発明は、構造体、遊技機やゲーム機の外層パネル、包装箱、広告体、飾り品、ディスプレイ装置、文房具、土産品、教材等の各種商品の装飾に適用される装飾表示体に関するものである。
【背景技術】
【０００２】
従来より、構造体、遊技機やゲーム機の外層パネル、包装箱、広告体、飾り品、ディスプレイ装置、文房具、土産品、教材等の各種商品の装飾として、図柄の拡大虚像を各種商品の表面から上方または下方に現出させる装飾表示体を適用することが知られており、例えば下記特許文献１〜特許文献５に開示されている。
【０００３】
これらの装飾表示体は、シート状または板状の透明素材の表面に、複数の凸レンズ状の集光素を各集光素の並びに方向性を持たせて所定の配列ピッチで２次元的に配列して集光素パターンが形成されるとともに、上記透明素材の裏面に、着色された複数の画素を各画素の並びに集光素パターンと同じ方向性を持たせて各集光素の配列ピッチと異なる配列ピッチで２次元的に配列して画素パターンが形成され、各集光素と各画素の配列ピッチが異なるように集光素パターンと画素パターンとが形成されることによって、画素パターンによる立体的な図柄の拡大虚像を現出するものである。
【先行技術文献】
【特許文献】
【０００４】
【特許文献１】特許第４９０７０４９号
【特許文献２】特許第３４８８１７９号
【特許文献３】特開２００８−０１２８７０号
【特許文献４】特開２００３−２２６１００号
【特許文献５】特開２００３−２２６０９９号
【発明の概要】
【発明が解決しようとする課題】
【０００５】
しかしながら、従来の装飾表示体の基本構成は、１枚の透明素材の表面に集光素パターンを形成するとともに、該透明素材の裏面に画素パターンを形成するものばかりであり、それ以外の基本構成を持った装飾表示体が存在していなかった。
【０００６】
本発明は、上述の技術的背景に鑑みてなされたものであって、新規な基本構成により画素の拡大虚像を確実に現出することができる装飾表示体を提供することを目的とする。
【課題を解決するための手段】
【０００７】
本発明は、上記目的を達成するために、一方側の表面に、複数の凸レンズ状の集光素を各集光素の並びに方向性を持たせて所定の配列ピッチで２次元的に配列してなる集光素パターンが形成されたシート状または板状の第１の透明素材と、一方側の表面に、着色された複数の画素を各画素の並びに集光素パターンと同じ方向性を持たせて各集光素の配列ピッチと異なる配列ピッチで２次元的に配列してなる画像パターンが形成されたシート状または板状の第２の透明素材と、集光素パターンと画像パターンが所定距離を隔てて対向する態様で、第１の透明素材と前記第２の透明素材を互いに接触しないように隙間を空けて平行に支持する支持部材とを備えることを特徴とする。
【０００８】
これによれば、集光素パターンと画像パターンが所定距離を隔てて対向する態様で、第１の透明素材と第２の透明素材を互いに接触しないように隙間を空けて平行に支持するという新規な基本構成をしても、各集光素と各画素が同じ方向に異なる配列ピッチで２次元的に配列されることによって、集光素と画素が重なる部分と位置ずれする部分とが繰り返して生じるため、画素の拡大虚像を確実に現出させることができる。
【０００９】
また、集光素パターンおよび／または画素パターンは、第１の透明素材と第２の透明素材が向かい合う側の表面に形成されているのが好ましい。これによれば、集光素パターンおよび／または画素パターンが第１の透明素材と第２の透明素材の間に形成されているため、装飾表示体としての外側表面が平面となされ、装飾表示体の外側表面に任意の部材を貼着する等、種々加工を施すことができる。また、装飾表示体の外側表面が他の部材と擦れる等しても、集光素パターンおよび画素パターンが摩耗したり、剥離したりすることを防止することができる。
【００１０】
また、第１の透明素材は、一方側の表面に、複数の凸レンズ状の集光素を各集光素の並びに方向性を持たせて所定の配列ピッチで２次元的に配列してなる集光素パターンが形成されたシート状の透明素材と、該シート状の透明素材が貼り付けられる板状の透明素材とからなるとともに、第２の透明素材は、一方側の表面に、着色された複数の画素を各画素の並びに集光素パターンと同じ方向性を持たせて各集光素の配列ピッチと異なる配列ピッチで２次元的に配列してなる画像パターンが形成されたシート状の透明素材と、該シート状の透明素材が貼り付けられる板状の透明素材とからなるものであってもよい。これによれば、複層ガラス等のような既存の構造体に装飾表示体を容易に適用することができる。
【発明の効果】
【００１１】
本発明によれば、集光素パターンと画像パターンが所定距離を隔てて対向する態様で、第１の透明素材と第２の透明素材を互いに接触しないように隙間を空けて平行に支持するという新規な基本構成をして、各集光素と各画素が同じ方向に異なる配列ピッチで２次元的に配列されることによって、集光素と画素が重なる部分と位置ずれする部分とが繰り返して生じるため、画素の拡大虚像を確実に現出させることができる。
【００１２】
また、第１の透明素材および第２の透明素材間に隙間が空いているため、該隙間に集光素パターンおよび／または画素パターンを形成したり、該隙間に所望の部材を設けたりする等、両透明素材間の隙間を利用した技術的な工夫を種々施すことが可能になる。
【００１３】
また、集光素パターンと画素パターンが形成される透明素材が各々別の透明部材であることより、集光素パターンと画素パターンが別の製造工程となるため、互いに影響を与えることがなく円滑に各々を製造することが可能になる。
【００１４】
また、第１の透明素材、第２の透明素材および支持部材を別個に販売して、消費者に装飾表示体を構成する面白さを提供する等、装飾表示体としての商品価値を高めることも可能になる。
【図面の簡単な説明】
【００１５】
【図１】第１の実施形態に係る装飾表示体を示す正面図である。
【図２】図１のＩＩ−ＩＩ線断面矢視図である。
【図３】図１の装飾表示体の集光素と画素の関係を示す（ａ）側面からの拡大模式図、および（ｂ）正面からの拡大模式図である。
【図４】図１の装飾表示体の他の例における集光素パターンと画素パターンの関係を示す側面からの拡大模式図である。
【図５】第２の実施形態に係る装飾表示体の断面図である。
【図６】図５の装飾表示体の集光素と画素の関係を示す（ａ）側面からの拡大模式図、および（ｂ）正面からの拡大模式図である。
【図７】第３の実施形態に係る装飾表示体の集光素と画素の関係を示す側面からの拡大模式図である。
【発明を実施するための形態】
【００１６】
＜第１の実施形態＞
次に、本発明に係る装飾表示体の第１の実施形態を図１〜図４を参照しつつ説明する。
【００１７】
本実施形態の装飾表示体１は、図１および図２に示すように、アクリル板等の板状の第１の透明素材と、該第１の透明素材の裏側に配置されたアクリル板等の板状の第２の透明素材１２と、第１の透明素材１１と第２の透明素材１２を支持する支持部材１３とを備えている。
【００１８】
前記第１の透明素材１１は、図１および図２に示すように、外側の表面（図２中では左側の表面）の全体に亘って、無着色または着色の透明インキを用いて複数の凸レンズ状の集光素１１１ａを印刷して集光素パターン１１１が形成されている。この集光素パターン１１１は、図３に示すように、集光素１１１ａを各集光素１１１ａの並びに方向性を持たせて２次元的に配列して形成されている。本実施形態では、集光素パターン１１１は、図３に示すように、ｘ方向とこれに直交するｙ方向へ同じ配列ピッチｐで各集光素１１１ａがマトリクス状に等配列して形成されている。
【００１９】
なお、各集光素１１１ａの配列は、必ずしも直交するパターンである必要はなく、一方の配列方向に対する他方の配列方向が９０度より小さい角度または９０度より大きい角度をなすようにしてもよい。
【００２０】
前記第２の透明素材１２は、図２に示すように、外側の表面（図２中では右側の表面）の全体に亘って、着色された透明または不透明インキを用いて複数の画素１２１ａを印刷して画素パターン１２１が形成されている。この画素パターン１２１は、図３に示すように、画素１２１ａを各画素１２１ａの並びに上記集光素パターン１１１と同じ方向性を持たせて２次元的に配列して形成されている。つまり、画素パターン１２１は、ｘ方向とこれに直交するｙ方向へ各画素１２１ａをマトリクス状に等配列して形成されている。
【００２１】
また、この画素パターン１２１は、図３に示すように、集光素１１１ａの配列ピッチｐより小さい配列ピッチｑで各画素１２１ａが配列している。これにより、ｘ−ｙ平面の各方向について、複数個おきに集光素１１１ａと画素１２１ａが完全に重なる部分と、その周囲の画素１２１ａが集光素１１１ａから順次内側に位置ずれする部分とが繰り返し生じている。このように、画素１２１ａの配列ピッチｑが集光素１１１ａの配列ピッチｐより小さく設定されている場合、後述のように拡大虚像Ｚ１は画素パターン１２１が形成された第２の透明素材１２の表側（図２中では右側）に現出することとなる。
【００２２】
なお、集光素パターン１１１の集光素１１１ａと画素パターン１２１の画素１２１ａについては、説明の便宜上、図１および図２において拡大して図示しているが、実際には非常に小さいものである。
【００２３】
前記支持部材１３は、図１に示すように、第１の透明素材１１と第２の透明素材１２の外周縁に沿って設けられている。この支持部１３は、図２に示すように、内周面において各透明素材１１，１２の外縁部が嵌合可能な第１の溝部１３１および第２の溝部１３２が全周に亘って形成されている。この第１の溝部１３１に第１の透明素材１１の外縁部を嵌合させることによって第１の透明素材１１を支持するとともに、第２の溝部１３２に第２の透明素材１２の外縁部を嵌合させることによって第２の透明素材１１を支持する。
【００２４】
また、支持部材１３は、第１の溝部１３１および第２の溝部１３２が所定距離ｄを隔てて平行に形成されている。このため、図２および図３に示すように、第１の透明素材１１の表面に形成された集光素パターン１１１と第２の透明素材１２の表面に形成された画素パターン１２１とが所定距離ｄを隔てて対向する態様で、第１の透明素材１１と第２の透明素材１２が互いに接触しないように、隙間ｒ（ｒ＞０）を空けて平行に支持される。
【００２５】
なお、上記所定距離ｄは、集光素パターン１１１における集光素１１１ａによって画像パターン１２１における画素１２１ａの拡大虚像Ｚ１を現出させるのに必要な距離である。
【００２６】
また、上記隙間ｒは、集光素パターン１１１と画素パターン１２１における所定距離ｄ、第１の透明素材１１と第２の透明素材１２の厚みによって、適宜設定される。
【００２７】
而して、本装飾表示体１では、上述のように、集光素パターン１１１と画像パターン１２１が所定距離ｄを隔てて対向する態様で、支持部材１３により第１の透明素材１１と第２の透明素材１２を隙間ｒを空けて平行に支持している。このことより、図３に示すように、ｘ−ｙ平面の各方向について、各集光素１１１ａと各画素１２１ａが同じ方向に異なる配列ピッチｐ、配列ピッチｑで２次元的に配列されることによって、複数個おきに集光素１１１ａと画素１２１ａが完全に重なる部分と、その周囲の画素１２１ａが集光素１１１ａから順次内側に位置ずれする部分とが繰り返し生じる。このため、画素１２１ａの拡大虚像Ｚ１を、見る位置に制限を受けることなく、揺らぎの少ない静的な状態で第２の透明素材１２の表側（図２中では右側）に現出させることができる。
【００２８】
なお、本実施形態では、集光素パターン１１１が第１の透明素材１１の外側の表面に形成され、画素パターン１２１が第２の透明素材１２の外側の表面に形成される場合について説明したが、集光素パターン１１１および／または画素パターン１２１は、第１の透明素材１１と第２の透明素材１２が向かい合う側の表面に形成されてもよい。
【００２９】
具体的には、図４（ａ）に示すように、画素パターン１２１が第２の透明素材１２の内側の表面（図中では左側の表面）に形成されてもよい。また、図４（ｂ）に示すように、集光素パターン１１１が第１の透明素材１１の内側の表面（図中では右側の表面）に形成されてもよい。図４（ｃ）に示すように、集光素パターン１１１が第１の透明素材１１の内側の表面（図中では右側の表面）に形成され、画素パターン１２１が第２の透明素材１２の内側の表面（図中では左側の表面）に形成されてもよい。なお、いずれの場合も、集光素パターン１１１および画素パターン１２１は所定距離ｄを隔てて対向しており、これに基づいて隙間ｒが設定されている。
【００３０】
また、第１の透明素材１１と第２の透明素材１２がいずれも板状である場合について説明したが、いずれか一方あるいはいずれもシート状であってもよい。
【００３１】
また、集光素パターン１１１が第１の透明素材１１の表面の全体に亘って形成される場合について説明したが、一部のみに形成されていてもよい。
【００３２】
また、画素パターン１２１が第２の透明素材１２の表面の全体に亘って形成される場合について説明したが、一部のみに形成されていてもよい。
【００３３】
また、第１の透明素材１１と第２の透明素材１２の間に、写真や絵、あるいは着色された透明素材を入れる等してもよい。
【００３４】
また、本実施形態では、集光素パターン１１１が形成される第１の透明素材１１の表面（集光素１１１ａの接触面）と、画素パターン１２１が形成される第２の透明素材１２の表面（画素１２１ａの接触面）との間の距離を所定距離ｄと定義した。この所定距離ｄは、最も集光素１１１ａや画素１２１ａの大きさにより適宜設定されるものであるが、例えば集光素１１１ａおよび画素１２１ａの画素径が０．１〜２ｍｍ、配列ピッチが０．１５ｍｍ〜２．２ｍｍの場合、所定距離ｄは０．１〜２０ｍｍ、さらに好ましくは０．４〜１０ｍｍに設定されると好適に拡大虚像Ｚ１が得られる。
【００３５】
なお、この所定距離ｄについては、その他にも例えば集光素１１１aの最外側部（頂点）と画素１２１ａの最外側部（上面）の間の距離であったり、集光素１１１aの中心部と画素１２１ａの中心部の間の距離であってもよい。要は、画素１２１ａの拡大虚像Ｚ１が集光素１１１ａを介して現出するために集光素パターン１１１と画素パターン１２１が所定距離を保っていればよい。
【００３６】
＜第２の実施形態＞
次に、本発明に係る装飾表示体の第２の実施形態を図５および図６を参照しつつ説明する。なお、以下では、上記実施形態と異なる構成についてのみ説明することとし、同一の構成については説明を省略して同一の符号を付すこととする。
【００３７】
第１の透明素材１１の集光素パターン１１１は、実施形態１と同様に、集光素１１１ａを各集光素１１１ａの並びに方向性を持たせて２次元的に配列して形成されている。本実施形態でも、集光素パターン１１１は、ｘ方向とこれに直交するｙ方向へ同じ配列ピッチｐで各集光素１１１ａがマトリクス状に等配列して形成されている。
【００３８】
また、 第２の透明素材２２の画素パターン２２１は、画素１２１ａを各画素１２１ａの並びに上記集光素パターン１１１と同じ方向性を持たせて２次元的に配列して形成されている。つまり、画素パターン１２１は、ｘ方向とこれに直交するｙ方向へ各画素１２１ａをマトリクス状に等配列して形成されている。そして、この画素パターン１２１は、図３に示すように、集光素１１１ａの配列ピッチｐより大きい配列ピッチｑ’で各画素１２１ａが配列している。
【００３９】
これにより、ｘ−ｙ平面の各方向について、複数個おきに集光素１１１ａと画素２２１ａが完全に重なる部分と、その周囲の画素２２１ａが集光素１１１ａから順次外側に位置ずれする部分とが繰り返し生じている。このように画素１２１ａの配列ピッチｑ’が集光素１１１ａの配列ピッチｐより大きく設定されている場合、拡大虚像Ｚ２は集光素パターン１１１が形成された第１の透明素材１１の表側（図２中では左側）に現出する。
【００４０】
＜第３の実施形態＞
次に、本発明に係る装飾表示体の第３の実施形態を図７を参照しつつ説明する。なお、以下では、上記の実施形態と異なる構成についてのみ説明することとし、同一の構成については説明を省略して同一の符号を付すこととする。
【００４１】
本実施形態の装飾表示体３において、第１の透明素材３１は、図７に示すように、シート状の透明素材３１１と、該透明素材３１１が外側の表面（図７中では左側の表面）に貼り付けられる板状の透明素材３１２とからなる。
【００４２】
前記シート状の透明素材３１１は、外側の表面（図７中では左側の表面）に集光素パターン１１１が形成されている。この集光素パターン１１１は、実施形態１と同様に、集光素１１１ａを各集光素１１１ａの並びに方向性を持たせて配列ピッチｐで２次元的に配列して形成されている。また、前記板状の透明素材３１２は、表裏面が平坦状のガラス板やアクリル板等の透明板部材である。
【００４３】
また、前記第２の透明素材３２は、図７に示すように、シート状の透明素材３２１と、該透明素材３２１が外側の表面（図７中では右側の表面）に貼り付けられる板状の透明素材３２２とからなる。
【００４４】
前記シート状の透明素材３２１は、外側の表面（図７中では右側の表面）に画素パターン１２１が形成されている。この画素パターン１２１は、実施形態１と同様に、画素１２１ａを各画素１２１ａの並びに上記集光素パターン１１１と同じ方向性を持たせて配列ピッチｑで２次元的に配列して形成されている。ここでの画素１２１ａの配列ピッチｑは集光素１１１ａの配列ピッチｐより小さく設定されている。また、前記板状の透明素材３２２は、上記第１の透明素材３１の板状の透明素材３１１と同様、表裏面が平坦状のガラス板やアクリル板等の透明板部材である。
【００４５】
このように、集光素パターン１１１と画像パターン１２１が所定距離ｄを隔てて対向する態様で、第１の透明素材１１と第２の透明素材１２が接触しないように隙間ｒを空けて平行に配置されることにより、画素１２１ａの拡大虚像を現出させることができる。
【００４６】
また、上述のように構成される本装飾表示体３は、第１の透明素材３１の板状の透明素材３１２と第２の透明素材３２の板状の透明素材３２２として、隙間を空けて平行に配置される複層ガラスに適用することが可能である。具体的には、複層ガラスの一方側のガラス板を第１の透明素材３１の板状の透明素材３１２として、表面にシート状の透明素材３１１を貼り付けるとともに、複層ガラスの他方側のガラス板を第２の透明素材３２の板状の透明素材３２２として、表面にシート状の透明素材３２１を貼り付ければ、集光素パターン１１１と画像パターン１２１が所定距離ｄを隔てて対向するため、複層ガラス等のような既存の構造体を装飾表示体３にすることができる。
【００４７】
なお、上述の第１の透明素材３１におけるシート状の透明素材３１１および板状の透明素材３１２や、第２の透明素材３２におけるシート状の透明素材３２１および板状の透明素材３２２の各部材の厚みについては特に限定されるものではない。要は、画素１２１ａの拡大虚像Ｚ１が集光素１１１ａを介して現出するために集光素パターン１１１と画素パターン１２１が所定距離ｄを隔てるものであれば、各部材の厚さは任意なものである。
【００４８】
また、上記各実施形態では、集光素１１１ａの配列ピッチｐおよび画素１２１ａの配列ピッチｑが一定である場合について説明したが、いずれか一方の配列ピッチあるいは両方の配列ピッチが、次第に変化していくもの、一部の領域部分で異なっているもの等のように、各配列ピッチに変化があるものであってもよい。
【００４９】
また、画素１２１ａが円形状であるように図示したが、四角形、星形、十字形等その他の形状であってもよい。  
【００５０】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５１】
１…装飾表示体
１１，３１…第１の透明素材
１１１…集光素パターン
１１１ａ…集光素
１２，２２，３２…第２の透明素材
１２１，２２１…画素パターン
１２１ａ…画素
１３…支持部
１３１…第１の溝部
１３２…第２の溝部  
【図１】
2013244738.tif 000003
【図２】
2013244738.tif 000004
【図３】
2013244738.tif 000005
【図４】
2013244738.tif 000006
【図５】
2013244738.tif 000007
【図６】
2013244738.tif 000008
【図７】
2013244738.tif 000009